(57)【要約】【課題】細胞の状態の評価【解決手段】  一実施形態に係る検査装置は、細胞に光を照射可能な発光部と、細胞を介して取得した光を分光可能な分光部と、分光部で分光された光を受容し、電気信号として送信可能な受光部と、受光部から送信された電気信号に基づいて光のスペクトルを取得し、スペクトルにおける可視光の帯域の波長特性に基づいて、細胞の状態を評価可能な制御部と、を備える。【選択図】図１
2020139792.tif 000002
【特許請求の範囲】
【請求項１】
細胞に光を照射可能な発光部と、
前記細胞を介して取得した光を分光可能な分光部と、
前記分光部で分光された光を受容し、電気信号として送信可能な受光部と、
前記受光部から送信された前記電気信号に基づいて前記光のスペクトルを取得し、前記スペクトルにおける可視光の帯域の波長特性に基づいて、前記細胞の状態を評価可能な制御部と、を備える、検査装置。
【請求項２】
請求項１に記載の検査装置であって、
前記制御部は、前記スペクトルにおいて、４００〜６００ｎｍの範囲の強度が大きいほど、前記細胞が若いと評価する、検査装置。
【請求項３】
細胞に光を照射する工程と、
前記細胞を介して取得した前記光を分光する工程と、
分光した前記光を受容する工程と、
前記光のスペクトルを取得する工程と、
前記スペクトルにおける可視光の帯域の波長特性に基づいて、前記細胞の状態を評価するステップと、を備える、検査方法。
【請求項４】
請求項３に記載の測定方法であって、
前記スペクトルにおいて、４００〜６００ｎｍの範囲の強度が大きいほど、前記細胞が若いと評価する、検査方法。
【発明の詳細な説明】
【技術分野】
【０００１】
本発明は、検査装置および検査方法に関する。
【背景技術】
【０００２】
従来、生存細胞と非生存細胞を検出する装置が知られている（特許文献１）。
【先行技術文献】
【特許文献】
【０００３】
【特許文献１】特表２０１５−５２１０３７号公報
【発明の概要】
【発明が解決しようとする課題】
【０００４】
このような装置では、単に細胞が生存しているか、または死滅しているかを評価することしかできない。すなわち、従来の技術では、細胞の若さおよび老化の程度などの細胞の状態が評価できない。
【課題を解決するための手段】
【０００５】
一実施形態に係る検査装置は、細胞に光を照射可能な発光部と、細胞を介して取得した光を分光可能な分光部と、分光部で分光された光を受容し、電気信号として送信可能な受光部と、受光部から送信された電気信号に基づいて光のスペクトルを取得し、スペクトルにおける可視光の帯域の波長特性に基づいて、細胞の状態を評価可能な制御部と、を備える。
【０００６】
一実施形態に係る検査方法は、細胞に光を照射する工程と、細胞を介して取得した光を分光する工程と、分光した光を受容する工程と、光のスペクトルを取得する工程と、スペクトルにおける可視光の帯域の波長特性に基づいて、細胞の状態を評価するステップと、を備える。
【発明の効果】
【０００７】
本開示に係る検査装置および検査方法によれば、細胞の状態を評価することができる。
【図面の簡単な説明】
【０００８】
【図１】一実施形態に係る検査装置が有する機能部を示す図である。
【図２】一実施形態に係る検査装置による検査を模式的に表す図である。
【図３】細胞の観察図およびスペクトルである。
【図４】細胞の観察図およびスペクトルである。
【図５】一実施形態係る検査装置が実行する検査のフロー図である。
【発明を実施するための形態】
【０００９】
（検査装置）
（一実施形態）
図１は、一実施形態に係る検査装置が有する機能部を示す図である。図２は、一実施形態に係る検査装置による検査を模式的に表した図である。
【００１０】
本開示の検査装置１は、細胞を介して取得した光に基づいて、細胞の状態を評価することができる。細胞の状態とは、例えば、細胞が生きているか否か、死んでいるか否か、どの程度生育が進んでいるか、およびどの程度老化あるいは分化が進んでいるかなどの細胞
の状態をいう。なお、「細胞を介して取得した光」とは、測定対象である細胞で反射した反射光、または細胞を透過した透過光などを意味する。一実施形態に係る検査装置１は、細胞で反射した反射光に基づいて、細胞の状態を評価する。
【００１１】
測定対象である細胞は、生物の細胞であれば特に限定されない。生物は、例えば、ラットおよびヒトなどの動物、イネおよびシロイヌナズナなどの植物、大腸菌およびメタン生成菌などの原核生物、酵母菌およびカビなどの菌類などであればよい。動物または植物の細胞は、例えば、幹細胞および生殖細胞などであればよい。動物の細胞は、例えば、上皮細胞、内皮細胞、および免疫細胞などであってもよい。植物の細胞は、例えば、柔組織細胞、孔辺細胞、および厚角組織細胞などであってもよい。本開示では、測定対象の細胞は、骨髄由来のラット間葉系幹細胞、および骨髄由来のヒト間葉系幹細胞である。なお、幹細胞は、神経幹細胞、上皮幹細胞、消化管上皮幹細胞、生殖幹細胞、造血幹細胞、間葉系幹細胞などの組織幹細胞であってもよい。また、動物の細胞は、哺乳類の細胞であれば、特に限定されるものでない。例えば、細胞は、マウス、ネコ、イヌ、およびサルなどに由来する細胞であってもよい。
【００１２】
一実施形態に係る検査装置１は、光を照射可能な発光部１０、光を分光可能な分光部２０、光を受容可能な受光部３０、検査装置１の種々の制御を実行する制御部４０、および制御部４０が実行するプログラム、検査結果などの種々の情報を記憶可能な記憶部５０を備えている。なお、検査装置１を構成する各機能部は、従来周知の技術で構成されればよい。
【００１３】
発光部１０は、測定対象に光を照射することができる。発光部１０は、検査装置１が細胞の状態を評価可能な光を照射可能なものであれば、特に限定されない。発光部１０は、例えば、キセノンランプ、ハロゲンランプ、ＨＩＤ（High Intensity Discharge）ランプ、およびＬＥＤ（Laser Emitted Diod）などの光源であればよい。具体的には、少なくとも３５０ｎｍ〜１０５０ｎｍの波長の光を照射可能なものであればよい。
【００１４】
分光部２０は、分光部２０に入射した光（入射光）を波長毎の成分に分光することができる。本開示では、分光部２０は、細胞を介して分光部２０に到達した光を分光することができる。分光部２０は、例えば、プリズム、回折格子、およびグリズムなどを用いて入射光を分光可能であればよい。
【００１５】
一実施形態において、分光部２０は、回折格子を用いる。この場合、分光部２０は、可視光から近赤外までの波長帯域に入射光を分光可能なように構成されればよい。具体的には、分光部２０は、少なくとも３５０ｎｍ〜１０５０ｎｍの波長に入射光を分光可能なように構成されればよい。また、分光部２０の分光分解能は、検査装置１が細胞の状態を評価可能なように適宜調整されればよい。具体的には、分光部２０に含まれる回折格子の刻線数またはスリット数、ブレーズ波長、およびブレーズ角度などの仕様は、必要な分光分解能に応じて適宜調整されればよい。また、分光部２０は、分光分解能を調整可能であってもよい。具体的には、分光部２０は、仕様の異なる複数の回折格子を有していてもよい。この場合、作業者は、評価結果の用途、検査環境、および検査条件などに応じて分光部２０の分光分解能を調整して検査を行うことができるため、検査装置１は、有用性を向上させることができる。
【００１６】
一実施形態において、分光部２０は、分光した光が受光部３０に受容されるような位置に配されればよい。すなわち、検査装置１は、発光部１０、分光部２０、および受光部３０の順に光が到達するように構成されればよい。なお、各部間のそれぞれの距離は、検査装置１が細胞の状態を評価可能な距離に調整されればよい。具体的には、各部間のそれぞれの距離は、受光部３０に到達する光の強度が、検査装置１が細胞の状態を評価可能な強度となるように調整されればよい。
【００１７】
なお、分光部２０の回折格子の切換え、分光部２０と受光部３０との距離の調節、分光部２０の角度の調節などの各種の調整は、制御部４０が制御することで実行してもよい。これらの各種調整は、作業者が手作業で実行してもよい。
【００１８】
受光部３０は、受容した光を電気信号として制御部４０に送信することができる。本開示では、受光部３０は、細胞を介して分光部２０に入射し、分光部２０によって分光された光を受容することができる。受光部３０は、近赤外から近紫外の波長の光を受容可能なものであれば特に限定されない。より具体的には、受光部３０は、３５０ｎｍ〜１０５０ｎｍの波長の光を受容可能なものであればよい。
【００１９】
受光部３０は、例えば、フォトダイオード、フォトトランジスタ、およびフォトコンダクタなどの受容した光を電気的な信号に変換可能な受光素子で構成されればよい。また、受光部３０は、複数の受光素子で構成されたイメージセンサなどの撮像素子で構成されてもよい。具体的には、受光部３０は、ＣＣＤ（Charged Coupled Devices）イメージセン
サ、およびＣＭＯＳ（Complementary Metal Oxide Semiconductor）イメージセンサなど
を有する撮像素子であってもよい。この場合、受光部３０は、例えば、一次元の受光面を有するリニアイメージセンサ、および二次元の受光面を有するエリアイメージセンサであってもよい。一実施形態において、受光部３０は、ＣＭＯＳイメージセンサであり、分光部２０が分光した光を電気信号として検出することができる。
【００２０】
制御部４０は、検査装置１に関する種々の制御を実行することができる。具体的には、制御部４０は、発光部１０、分光部２０、および受光部３０などの各機能部を制御することができる。制御部４０は、少なくとも１つのＩＣ（Integrated Circuit）、およびＬＳＩ（Large Scale Integration）などの電子回路により各機能部を構成することができる
。なお、制御部４０は、複数のＩＣまたはＬＳＩなどをさらに集積して形成された少なくとも１つのユニットであってもよい。
【００２１】
制御部４０は、演算および各種制御処理を実行するプロセッサを有している。プロセッサは、例えば、１以上のプロセッサ、コントローラ、マイクロプロセッサ、マイクロコントローラ、特定用途向け集積回路（ＡＳＩＣ：Application Specific Integrated Circuit）、デジタル信号処理装置、プログラマブルロジックデバイス、又はこれらのデバイスもしくは任意の構成の組み合わせ、または他の既知のデバイスもしくは構成の組合せを含んでよい。
【００２２】
制御部４０は、演算および各種制御処理ために、前処理を行なうことができる。例えば、制御部４０は、受光部３０から入力された電気信号を電流値または電圧値に変換する処理、電気信号のＡＣ（Alternating Current）成分とＤＣ（Direct Current）成分を分離する処理、およびＡＣ信号を増幅する処理またはアナログ信号をデジタル信号に変換する処理などを行なってもよい。すなわち、制御部４０は、ＩＶ変換部、ＡＣ−ＤＣデカップリング部、ＡＣ増幅部、またはＡＤ変換部を有していてもよい。
【００２３】
制御部４０は、受光部３０から入力された電気信号に基づいて、光のスペクトルを取得することができる。光のスペクトルは、受光部３０が受容した光の波長成分と、波長ごとの強度との関係を表すものである。ここで、強度とは、光のエネルギーの大きさを示す値であり、光子の数に比例する。すなわち、光のスペクトルは、波長ごとに光子がどの程度存在するのかを表すものである。なお、強度は、エネルギーから換算可能であれば、任意の媒介変数で示されればよい。また、強度は、基準値に対する比として示されてもよい。この場合、単位は、任意単位（a.u. :arbitrary unit）で示されればよい。
【００２４】
記憶部５０は、制御部４０が実行するプログラム、および制御部４０が取得した光のスペクトルなどの各種の情報を記憶することができる。記憶部５０は、揮発性メモリ、および不揮発性メモリによって構成されればよい。記憶部５０は、例えば、ＲＡＭ（Random Access Memory）、またはＲＯＭ（Read-Only Memory）などに分類される各種メモリによって構成されればよい。一実施形態において、記憶部５０には、ファームウェアが記憶されている。したがって、制御部４０は、記憶部５０に記憶されたファームウェアに従って、プロセッサが計算手続き又は各種処理を実行することができるため、検査装置１の種々の制御を実行することができる。
【００２５】
培養した細胞を用いて試験研究などを行なう際、出来るだけ若い細胞を用いたい場合、またはある程度生育が進んだ細胞を用いたい場合など、条件に応じた状態の細胞が必要になる場合がある。すなわち、単に細胞が生きているか死んでいるかのみならず、細胞が条件に適合する良好な状態のものであるか否かの評価が必要となる場合がある。従来、細胞の培養工程において、細胞の状態の良、不良は、例えば、作業者が顕微鏡などで細胞の形態を目視観察することで評価していた。しかし、明確な評価基準がなく、作業者、培養ロット、および作業環境などの種々の要因に起因して、必ずしも正確な評価ができないという問題が生じていた。
【００２６】
これに対し、本開示の検査装置１によれば、細胞の状態を比較的正確に評価することができる。具体的には、本開示の検査装置１は、細胞を介して取得した光のスペクトルの波長特性に基づいて、細胞の状態を評価することができる。
【００２７】
ここで、細胞の生育に伴い、または細胞が生きているか死んでいるかによって、細胞の形態、細胞膜構造、細胞内外に分泌される分泌物、および細胞外成分などが変化する。したがって、細胞の若さ、老化あるいは分化の程度、および細胞の生死などの細胞の状態に応じて、細胞が吸収可能な光の波長帯域は変化する。よって、細胞を介して取得された光は、細胞の状態に応じた波長特性を有する。
【００２８】
また、老化が進んでおらず、比較的若い細胞は、活発に細胞分裂を繰返している。比較的若い細胞とは、例えば誘導期および対数増殖期にある細胞などである。この場合、細胞は、比較的小さく紡錘形なものとなる。一方で、生育が進んだ細胞は、細胞分裂の回数が減少していき、比較的大きく扁平なものとなる。生育が進んだ細胞とは、例えば定常期および死滅期にある細胞である。したがって、細胞の状態に応じて、吸収される光の量が変化する。よって、細胞の状態に応じて、取得した光の強度が変化する。
【００２９】
以下、実験結果を踏まえて説明する。
【００３０】
細胞の培養条件について説明する。ラット間葉系幹細胞、およびヒト間葉系幹細胞は、３７℃、５％ＣＯ２雰囲気下で培養した。培養には市販の幹細胞用培地を用いた（ラット：コスモ・バイオ社製、ラット骨髄由来間葉系幹細胞増殖用メディウムセット、品番  MSB-GM／ヒト：CET社製、Mesenchymal Stem Cell Expansion Media、品番  HMSC.E.MEDIA-450）。
【００３１】
培養プロトコールは、以下の通りである。
（i）培養用プレートへコラーゲン溶液を分注し、静置（３７℃、５分）
（ii）分注済み培養プレートを、リン酸緩衝生理食塩水で洗浄
（iii）凍結保存された幹細胞を解凍し、幹細胞用培地へ添加
（iv）添加済み幹細胞用培地を撹拌し、上清を破棄し、細胞懸濁液を調整
（v）洗浄済みプレートへ細胞懸濁液を滴下し、幹細胞を播種
ここで、培養初期は、比較的若い細胞が多く存在する。また、培養が進むにつれて細胞の生育が進み、比較的老化した細胞が多くなる。さらに、培養に伴い細胞密度が増加する。したがって、培養に伴い細胞が生育する環境が変化するため、スペクトルの波長特性にも培養に伴う何らかの影響が少なからず現れることが懸念されたた。したがって、検査装置１において、培養開始後１日目の細胞と、３日目の細胞を用いて検査を行なった。
【００３２】
図３は、ラット間葉系幹細胞の観察図とそのスペクトルである。図４は、ヒト間葉系幹細胞の観察図とそのスペクトルである。図３および図４のスペクトルにおいて、Ａは培養開始後１日目の細胞であり、Ｂは培養開始後３日目の細胞である。図３および図４のスペクトルにおいて、左が比較的若い細胞のスペクトルであり、右が比較的老化した細胞のスペクトルである。なお、図３および図４に示したスペクトルは、細胞を介して取得した光のスペクトルから、バックグラウンドとして、細胞を介していない光のスペクトルを引いたスペクトルを示したものである。すなわち、図３および図４に示したスペクトルは、元のスペクトルから変化した差分を示すものである。
【００３３】
図３および図４で示した比較的若い細胞のスペクトルを参照する。
【００３４】
ラット間葉系幹細胞、およびヒト間葉系幹細胞のいずれにおいても、スペクトルの可視光の帯域において、４００〜６００ｎｍの帯域に強度の山（ピーク）が見られる。したがって、比較的若い細胞は、可視光の帯域において、６００〜８００ｎｍの帯域の光を吸収しやすいと示唆される結果が得られた。
【００３５】
次に、図３および図４で示した比較的老化した細胞のスペクトルを参照する。
【００３６】
ラット間葉系幹細胞、およびヒト間葉系幹細胞のいずれにおいても、スペクトルの可視光の帯域において、強度はほぼ一定であり、スペクトルの形状は、ピークがなくほぼ平坦なブロードの形状になっている。したがって、比較的老化した細胞は、特定の波長の光ではなく、可視光の帯域の光を全体的に吸収しやすいと示唆される結果が得られた。また、良好な状態の細胞のスペクトルと比較して、スペクトル全体の強度、すなわち光の強度がほぼ半分以下にまで減少している。したがって、細胞の生育が進むにつれて、反射光の強度も減少する傾向にあることを示唆する結果が得られた。
【００３７】
図３および図４において、ＡとＢに示したスペクトルには、いずれも上記で説明したような特徴が現れており、ＡとＢのスペクトルに顕著な有意差は現れていない。すなわち、培養に伴うスペクトルの波長特性に対する影響は少なく、無視できる範囲であることが示唆される結果が得られた。
【００３８】
以上の結果の通り、細胞を介して取得された光のスペクトルには、細胞の状態に応じた有意な特性が現れることが示唆された。具体的には、細胞が若いほど、光のスペクトルにおいて４００〜６００ｎｍの帯域の波長の強度が大きくなることが示唆された。また、細胞の生育が進むにつれて、反射光の強度が低下することが示唆された。一方、培養に伴うこれらの波長特性に対する影響は少なく、無視できる範囲であることが示唆された。したがって、反射光のスペクトルに関するこれらの波長特性を利用することで、検査装置１は、細胞の状態を評価することができる。
【００３９】
なお、スペクトルにおける近赤外光および近紫外光の帯域、具体的には３５０〜４００ｎｍ、および８００〜１０５０ｎｍの帯域においては、スペクトルが不連続的になり、散発的なピークが見られる。これは、受光部３０が検出限界に近づくため、検査装置１が正確なスペクトルを取得しにくくなっていることに起因すると考えられる。したがって、上記実験結果における近赤外および近紫外の帯域のスペクトルのピークは、必ずしも正確な
細胞の状態を反映した有意な特徴を示すものではないと考えられる。よって、検査装置１は、少なくとも可視光の帯域の波長特性に基づいて、細胞の状態を評価可能であればよい。
【００４０】
以上説明したスペクトルの特徴を利用して、検査装置１は、細胞の状態を評価することができる。すなわち、検査装置１は、受光部３０が取得したスペクトルにおける可視光の帯域の波長特性に基づいて、細胞の状態を評価することができる。その結果、作業者は、良好な状態の細胞と不良な状態の細胞を主観によらず判別することができるため、検査装置１は、有用性を向上させることができる。
【００４１】
検査装置１は、制御部４０で取得した光のスペクトルについて、可視光の波長のうち、短波長側の波長特性に基づいて、細胞の状態を評価することができる。より具体的には、検査装置１は、可視光の波長のうち、短波長側の強度が大きいほど、細胞が比較的若いと評価することができる。一実施形態に係る検査装置１は、４００〜６００ｎｍの範囲の波長の強度が大きいほど、細胞が若いと評価することができる。
【００４２】
図５は、検査装置１による検査の工程を示すフロー図である。
【００４３】
まず、発光部１０は、測定対象の細胞に対して光を照射する（工程１）。次に、分光部２０は、細胞で反射した反射光を分光する（工程２）。次に、受光部３０は、分光部２０で分光した光を受容する（工程３）。次に、制御部４０は、受光部３０で受容した光に基づいて波長スペクトルを取得する（工程４）。そして、制御部４０は、取得した波長スペクトルに基づいて測定対象の細胞の状態を評価する（工程５）。
【００４４】
制御部４０は、例えば、スペクトルにおける４００〜６００ｎｍの範囲の強度の平均値と、６００〜８００ｎｍの範囲の強度の平均値の差の絶対値に基づいて、細胞の状態を評価してもよい。この場合、細胞が若いほど、４００〜６００ｎｍの範囲の強度が大きくなるため、絶対値は大きくなる。したがって、制御部４０は、絶対値が大きいほど、細胞が若いと評価することができる。また、細胞の老化あるいは分化が進むほど、または細胞が死滅すると４００〜６００ｎｍの範囲の強度が低下していくため、絶対値は小さくなる。したがって、制御部４０は、絶対値が０に近づくほど、細胞の老化あるいは分化が進んでいる、または細胞が死滅していると評価することができる。
【００４５】
ここで、制御部４０は、例えば、絶対値が任意の閾値以上の細胞を良好な状態の細胞として、閾値未満の細胞を不良な状態の細胞として、それぞれ評価結果を出力してもよい。この場合、閾値は作業者が任意に定めればよい。具体的には、作業者は、試験研究などの条件に応じて、必要な状態の細胞が選別できるように、適宜閾値を設定すればよい。この場合、細胞の状態が良好であるほど、４００〜６００ｎｍの範囲の強度が大きくなるため、作業者は、閾値を高く設定するほど、より若い細胞を選別しやすくなる。
【００４６】
制御部４０は、例えば、スペクトルにおける４００〜６００ｎｍの範囲の強度の平均値と、６００〜８００ｎｍの範囲の強度の平均値の商に基づいて、細胞の状態を評価してもよい。この場合、細胞が若いほど、４００〜６００ｎｍの範囲の強度が大きくなるため、商は大きくなる。したがって、制御部４０は、平均値の商が大きいほど、細胞が若いと評価することができる。また、また、細胞の老化あるいは分化が進むほど、あるいは死滅すると、４００〜６００ｎｍの範囲の強度が低下していくため、商は小さくなる。したがって、制御部４０は、平均値の商が１に近づくほど、細胞の老化あるいは分化が進んでいる、または細胞が死滅していると評価することができる。
【００４７】
ここで、制御部４０は、例えば、平均値の商が任意の閾値以上の細胞を良好な状態の細
胞として、閾値未満の細胞を不良な状態の細胞として、それぞれ評価結果を出力してもよい。この場合、閾値は作業者が任意に定めればよい。具体的には、作業者は、試験研究などの条件に応じて、必要な状態の細胞が選別できるように、適宜閾値を設定すればよい。この場合、細胞の状態が良好であるほど、４００〜６００ｎｍの範囲の強度が大きくなるため、作業者は、閾値を高く設定するほど、より若い細胞を選別しやすくなる。
【００４８】
制御部４０は、例えば、スペクトルにおける４００〜６００ｎｍの範囲の強度の平均値が所定の閾値以上であり、６００〜８００ｎｍの範囲の強度の平均値が所定の閾値以下である場合に、比較的細胞が若いと評価してもよい。また、制御部４０は、４００〜６００ｎｍの範囲の強度の平均値が所定の閾値以下であれば、比較的細胞の老化あるいは分化が進んでいる、または死滅していると評価結果を出力してもよい。なお、所定の閾値は、作業者の任意で定めればよい。この場合、細胞の状態が良好であるほど、４００〜６００ｎｍの範囲の強度が大きくなるため、作業者は、４００〜６００ｎｍの範囲の閾値を高く設定するほど、より若い細胞を選別しやすくなる。
【００４９】
上記の実験結果に基づいて、４００〜６００ｎｍの範囲において、スペクトルに細胞の状態に応じた有意な特徴が現れることを説明した。しかし、細胞の状態に応じてスペクトルに特徴が現れるのであれば、必ずしも４００〜６００ｎｍの範囲の波長特性に限定して細胞の状態を評価する必要はない。すなわち、検査装置１は、細胞の状態に応じたスペクトルの波長特性が現れる任意の波長範囲の波長特性に基づいて細胞の状態を評価してもよい。例えば、スペクトルにおいて、ある波長範囲でピークが生じていれば、検査装置１は、その範囲の強度の平均値と、その他の範囲の強度の平均値の差または商に基づいて、細胞の状態を評価してもよい。なお、この場合、波長範囲の大きさは同一にすればよい。また、制御部４０は、波長範囲ごとに閾値を設定し、一方の範囲で強度の平均値が閾値以上であり、他方の範囲で強度の平均値が閾値以下であれば、細胞の状態が良好であると評価してもよい。また、制御部４０は、いずれの範囲の強度の平均値も閾値以下であれば、細胞の状態が不良であると評価してもよい。
【００５０】
制御部４０は、複数の細胞を選択し、スペクトルにおける任意の波長範囲同士の強度を比較することで、細胞の状態を評価してもよい。具体的には、制御部４０は、任意の波長範囲の強度の平均値同士を比較し、平均値が大きいほど、細胞が若いと評価してもよい。これによれば、検査装置１は、細胞の状態を相対的に評価することができる。なお、比較対象の細胞は、作業者の任意で選択すればよい。
【００５１】
以上のように、検査装置１は詳細に説明された。しかし、上記した説明は、全ての局面において例示であって、この開示がそれに限定されるものではない。
【００５２】
例えば、検査装置１は、検査装置１の操作の用に供する画像を表示する表示部６０をさらに備えていてもよい。その結果、検査装置１は、操作性を向上させることができる。また、表示部６０は制御部４０が取得したスペクトルを表示可能であってもよい。その結果、作業者は、視覚的に比較的良好な状態の細胞を判別することができる。表示部６０は、液晶ディスプレイ、および有機ＥＬディスプレイなど任意の表示デバイスで構成されればよい。表示部６０は、従来周知の技術により構成されればよい。
【００５３】
（検査方法）
上記の実施形態で説明した検査装置１が実行する工程は、方法の発明として解釈されてもよい。一実施形態に係る検査方法は、細胞に光を照射する工程と、細胞を介して取得した光を分光する工程と、分光した光を受容する工程と、光のスペクトルを取得する工程と、スペクトルにおける可視光の帯域の波長特性に基づいて、細胞の状態を評価するステップと、を備える。
【００５４】
上記の測定方法は、スペクトルにおいて、４００〜６００ｎｍの範囲の強度が大きいほど、細胞が若いと評価してもよい。
【００５５】
上述した各種例は、相互に矛盾しない限り組み合わせて適用可能である。そして、例示されていない無数の例が、この開示の範囲から外れることなく想定され得るものと解される。
【符号の説明】
【００５６】
１  検査装置
１０  発光部
２０  分光部
３０  受光部
４０  制御部
５０  記憶部
６０  表示部
【図１】
2020139792.tif 000003
【図２】
2020139792.tif 000004
【図３】
2020139792.tif 000005
【図４】
2020139792.tif 000006
【図５】
2020139792.tif 000007